(57)【要約】【課題】複数の光増幅コアそれぞれの増幅特性の均一化が容易な増幅用マルチコア光ファイバ等を提供する。【解決手段】増幅用マルチコア光ファイバ１０Ａは、信号光の光増幅を行う８個の光増幅コア１１１〜１１８をクラッド１３，１３Ａ中に有する。ファイバ断面において、８個の光増幅コア１１１〜１１８は、クラッド中心を中心とする円周上のみに配置されている。８個の光増幅コア１１１〜１１８は、ポンプ光導波領域１２Ａにより覆われている。ポンプ光導波領域１２Ａの屈折率は、各光増幅コア１１ｎの屈折率より低く、クラッド１３，１３Ａの屈折率より高い。ポンプ光導波領域１２Ａは、光増幅のためのポンプ光を導波する。ポンプ光導波領域１２Ａ内のクラッド中心付近に、ポンプ光導波領域１２Ａの屈折率より高い屈折率を有する領域が存在しない。【選択図】図１
2014099453.tif 000002
【特許請求の範囲】
【請求項１】
信号光の光増幅を行う複数の光増幅コアを同一クラッド中に有する増幅用マルチコア光ファイバであって、
ファイバ断面において、前記複数の光増幅コアが、クラッド内に中心を有する円周上のみに配置され、前記光増幅コアの屈折率より低く前記クラッドの屈折率より高い屈折率を有した光増幅のためのポンプ光を導波するポンプ光導波領域により覆われ、
前記ポンプ光導波領域内のクラッド中心付近に、前記ポンプ光導波領域の屈折率より高い屈折率を有する領域が存在しない、
ことを特徴とする増幅用マルチコア光ファイバ。
【請求項２】
前記複数の光増幅コアが、クラッド中心を中心とする円周上のみに配置されている、
ことを特徴とする請求項１に記載の増幅用マルチコア光ファイバ。
【請求項３】
前記ポンプ光導波領域がクラッド中心に対して回転対称構造である
ことを特徴とする請求項１または２に記載の増幅用マルチコア光ファイバ。
【請求項４】
請求項１〜３の何れか１項に記載の増幅用マルチコア光ファイバと、
ポンプ光を出力するポンプ光源と、
前記ポンプ光源から出力されるポンプ光を前記増幅用マルチコア光ファイバの前記ポンプ光導波領域に導入するポンプ光導入部と、
信号光を前記増幅用マルチコア光ファイバの前記光増幅コアに導入する信号光導入部と、
を備えることを特徴とするマルチコア光ファイバ増幅器。
【請求項５】
請求項１〜３の何れか１項に記載の増幅用マルチコア光ファイバと、
前記増幅用マルチコア光ファイバに設けられ又は前記増幅用マルチコア光ファイバに光学的に結合されて設けられており、前記増幅用マルチコア光ファイバの前記光増幅コアにおいて光増幅される信号光の利得特性を調整する利得特性調整部と、
を備えることを特徴とするマルチコア光ファイバ増幅器。
【請求項６】
前記利得特性調整部がファイバグレーティングである
ことを特徴とする請求項５に記載のマルチコア光ファイバ増幅器。
【請求項７】
請求項１〜３の何れか１項に記載の増幅用マルチコア光ファイバと、
前記増幅用マルチコア光ファイバの前記光増幅コアにおいて光増幅された信号光のパワーをモニタするモニタ部と、
前記モニタ部によるモニタ結果に基づいて、前記増幅用マルチコア光ファイバの前記ポンプ光導波領域に導入されるポンプ光のパワーを制御する制御部と、
を備えることを特徴とするマルチコア光ファイバ増幅器。
【請求項８】
前記増幅用マルチコア光ファイバの信号光出射端近傍のクラッドの一部が除去され、または、前記増幅用マルチコア光ファイバの信号光出射端側に光学的に結合された別のマルチコア光ファイバのクラッドの一部が除去されており、
前記モニタ部が、当該クラッド除去部分から取り出された信号光の一部を受光して信号光のパワーをモニタする、
ことを特徴とする請求項７に記載のマルチコア光ファイバ増幅器。
【請求項９】
信号光の光増幅を行う複数の光増幅コアを同一クラッド中に有する増幅用マルチコア光ファイバと、
ポンプ光を出力するポンプ光源と、
前記ポンプ光源から出力されるポンプ光を前記増幅用マルチコア光ファイバの前記複数の光増幅コアに導入するポンプ光導入部と、
前記増幅用マルチコア光ファイバの前記光増幅コアにおいて光増幅された信号光のパワーをモニタするモニタ部と、
前記モニタ部によるモニタ結果に基づいて、前記増幅用マルチコア光ファイバの前記ポンプ光導波領域に導入されるポンプ光のパワーを制御する制御部と、
を備えることを特徴とするマルチコア光ファイバ増幅器。
【発明の詳細な説明】
【技術分野】
【０００１】
本発明は、増幅用マルチコア光ファイバおよびマルチコア光ファイバ増幅器に関するものである。
【背景技術】
【０００２】
非特許文献１および特許文献１に、信号光の光増幅を行う複数の光増幅コアを同一クラッド中に有する増幅用マルチコア光ファイバが記載されている。
【０００３】
非特許文献１に記載された増幅用マルチコア光ファイバは、ファイバ断面においてクラッド中心に位置するコアと、クラッド中心を中心とする円周上に配置された６個のコアとを有する。この増幅用マルチコア光ファイバでは、これら７個のコアそれぞれに信号光およびポンプ光が導入され、７個のコアそれぞれにおいて信号光が増幅される。
【０００４】
特許文献１に記載された増幅用マルチコア光ファイバは、ファイバ断面においてクラッド中心に位置するポンプ光導波コアと、クラッド中心を中心とする円周上に配置された６個の光増幅コアとを有する。この増幅用マルチコア光ファイバでは、中心に位置するポンプ光導波コアにポンプ光が導入されるとともに、円周上の６個の光増幅コアそれぞれに信号光が導入されて、ポンプ光導波コアから各光増幅コアへのポンプ光のクロストークが利用されて、各光増幅コアにおいて信号光が増幅される。
【０００５】
このような増幅用マルチコア光ファイバを備える光増幅器は、その増幅用マルチコア光ファイバの各コアにおいて信号光を同時に増幅することができることから、コンパクト化が可能である。
【先行技術文献】
【特許文献】
【０００６】
【特許文献１】米国特許出願公開第２０１１／０２７９８８８号明細書
【非特許文献】
【０００７】
【非特許文献１】K. S. Abedin, et al., "Amplificationand noise properties of an erbium-doped multicore fiber amplifier," OPTICSEXPRESS, Vol.19, No.17, pp.16715- 16715 (2011).
【発明の概要】
【発明が解決しようとする課題】
【０００８】
非特許文献１に記載された増幅用マルチコア光ファイバでは、各コアに信号光およびポンプ光が導入されるので、各コアにおける増幅特性を個別に調整することができ、複数のコアぞれぞれの増幅特性を均一化することができる。
【０００９】
しかし、非特許文献１に記載された増幅用マルチコア光ファイバを備える光増幅器では、コアにポンプ光を導入する為のポンプ光導入部がコア毎に必要となる。また、コア毎に個別のポンプ光源を使用する場合にはコアの個数と同数のポンプ光源が必要となり、或いは、１個のポンプ光源から出力されるポンプ光を分岐して各コアに導入する場合には光分岐器が必要となる。したがって、非特許文献１に記載された増幅用マルチコア光ファイバを備える光増幅器は、コンパクト化の目的を充分に達成することができない。
【００１０】
これに対して、特許文献１に記載された増幅用マルチコア光ファイバでは、中心に位置するポンプ光導波コアにポンプ光が導入されるとともに、円周上の６個の光増幅コアそれぞれに信号光が導入される。したがって、特許文献１に記載された増幅用マルチコア光ファイバを備える光増幅器では、１個のポンプ光源を用いるだけでよく、ポンプ光導波コアにポンプ光を導入する為のポンプ光導入部の構成を簡易なものとすることができる。
【００１１】
特許文献１に記載された増幅用マルチコア光ファイバを備える光増幅器では、複数の光増幅コアそれぞれの増幅特性を均一化するためには、複数の光増幅コアそれぞれにおけるポンプ光のパワーを均一化する必要がある。しかし、コア間クロストークを利用してポンプ光導波コアから各光増幅コアへポンプ光を結合させることから、ポンプ光導波コアと各光増幅コアとの間隔が不均一であったり、増幅用マルチコア光ファイバの曲げ状態変化等に因りコア間クロストークが変化したりして、この結果として各光増幅コア中のポンプ光パワーが不均一となって、複数の光増幅コアそれぞれの増幅特性が不均一となる可能性がある。
【００１２】
本発明は、上記問題点を解消する為になされたものであり、複数の光増幅コアそれぞれの増幅特性の均一化が容易な増幅用マルチコア光ファイバおよびマルチコア光ファイバ増幅器を提供することを目的とする。
【課題を解決するための手段】
【００１３】
本発明の増幅用マルチコア光ファイバは、信号光の光増幅を行う複数の光増幅コアを同一クラッド中に有する増幅用マルチコア光ファイバであって、ファイバ断面において、複数の光増幅コアが、クラッド内に中心を有する円周上のみに配置され、光増幅コアの屈折率より低くクラッドの屈折率より高い屈折率を有した光増幅のためのポンプ光を導波するポンプ光導波領域により覆われ、ポンプ光導波領域内のクラッド中心付近に、ポンプ光導波領域の屈折率より高い屈折率を有する領域が存在しないことを特徴とする。複数の光増幅コアが、クラッド中心を中心とする円周上のみに配置されているのが好適である。ポンプ光導波領域がクラッド中心に対して回転対称構造であるのが好適である。
【００１４】
本発明のマルチコア光ファイバ増幅器は、上記の本発明の増幅用マルチコア光ファイバと、ポンプ光を出力するポンプ光源と、ポンプ光源から出力されるポンプ光を増幅用マルチコア光ファイバのポンプ光導波領域に導入するポンプ光導入部と、信号光を増幅用マルチコア光ファイバの光増幅コアに導入する信号光導入部と、を備えることを特徴とする。
【００１５】
本発明のマルチコア光ファイバ増幅器は、上記の本発明の増幅用マルチコア光ファイバと、増幅用マルチコア光ファイバに設けられ又は増幅用マルチコア光ファイバに光学的に結合されて設けられており、増幅用マルチコア光ファイバの光増幅コアにおいて光増幅される信号光の利得特性を調整する利得特性調整部と、を備えることを特徴とする。利得特性調整部がファイバグレーティングであるのが好適である。
【００１６】
本発明のマルチコア光ファイバ増幅器は、上記の本発明の増幅用マルチコア光ファイバと、増幅用マルチコア光ファイバの光増幅コアにおいて光増幅された信号光のパワーをモニタするモニタ部と、モニタ部によるモニタ結果に基づいて、増幅用マルチコア光ファイバのポンプ光導波領域に導入されるポンプ光のパワーを制御する制御部と、を備えることを特徴とする。増幅用マルチコア光ファイバの信号光出射端近傍のクラッドの一部が除去され、または、増幅用マルチコア光ファイバの信号光出射端側に光学的に結合された別のマルチコア光ファイバのクラッドの一部が除去されており、モニタ部が、当該クラッド除去部分から取り出された信号光の一部を受光して信号光のパワーをモニタするのが好適である。
【００１７】
本発明のマルチコア光ファイバ増幅器は、信号光の光増幅を行う複数の光増幅コアを同一クラッド中に有する増幅用マルチコア光ファイバと、ポンプ光を出力するポンプ光源と、ポンプ光源から出力されるポンプ光を増幅用マルチコア光ファイバの複数の光増幅コアに導入するポンプ光導入部と、増幅用マルチコア光ファイバの光増幅コアにおいて光増幅された信号光のパワーをモニタするモニタ部と、モニタ部によるモニタ結果に基づいて、増幅用マルチコア光ファイバのポンプ光導波領域に導入されるポンプ光のパワーを制御する制御部と、を備えることを特徴とする。
【発明の効果】
【００１８】
本発明によれば、増幅用マルチコア光ファイバの複数の光増幅コアそれぞれの増幅特性の均一化が容易となる。
【図面の簡単な説明】
【００１９】
【図１】本実施形態の増幅用マルチコア光ファイバ１０Ａの断面図である。
【図２】他の実施形態の増幅用マルチコア光ファイバ１０Ｂの断面図である。
【図３】第１実施形態のマルチコア光ファイバ増幅器１の構成を示す図である。
【図４】第２実施形態のマルチコア光ファイバ増幅器２の構成を示す図である。
【図５】第３実施形態のマルチコア光ファイバ増幅器３の構成を示す図である。
【発明を実施するための形態】
【００２０】
以下、添付図面を参照して、本発明を実施するための形態を詳細に説明する。なお、図面の説明において同一の要素には同一の符号を付し、重複する説明を省略する。
【００２１】
図１は、本実施形態の増幅用マルチコア光ファイバ１０Ａの断面図である。増幅用マルチコア光ファイバ１０Ａは、信号光の光増幅を行う８個の光増幅コア１１１〜１１８をクラッド１３，１３Ａ中に有する。ファイバ断面において、８個の光増幅コア１１１〜１１８は、クラッド中心を中心とする円周上のみに配置されている。８個の光増幅コア１１１〜１１８は、ポンプ光導波領域１２Ａにより覆われている。ポンプ光導波領域１２Ａの屈折率は、各光増幅コア１１ｎの屈折率より低く、クラッド１３および内側クラッド１３Ａそれぞれの屈折率より高い。ポンプ光導波領域１２Ａは、光増幅のためのポンプ光を導波する。ポンプ光導波領域１２Ａ内のクラッド中心付近に、ポンプ光導波領域１２Ａの屈折率より高い屈折率を有する領域が存在しない。ポンプ光導波領域１２Ａは、リング形状を有し、クラッド中心に対して回転対称構造である。リング形状のポンプ光導波領域１２Ａの外側がクラッド１３であり、内側が内側クラッド１３Ａである。このポンプ光導波領域１２Ａに、ポンプ光源からのポンプ光を、直接導入してもよいし、一旦クラッド領域１３Ａ内に導入し、その後拡散させて導入しても良い。
【００２２】
図２は、他の実施形態の増幅用マルチコア光ファイバ１０Ｂの断面図である。増幅用マルチコア光ファイバ１０Ｂは、信号光の光増幅を行う８個の光増幅コア１１１〜１１８をクラッド１３中に有する。ファイバ断面において、８個の光増幅コア１１１〜１１８は、クラッド中心を中心とする円周上のみに配置されている。８個の光増幅コア１１１〜１１８は、ポンプ光導波領域１２Ｂにより覆われている。ポンプ光導波領域１２Ｂの屈折率は、各光増幅コア１１ｎの屈折率より低く、クラッド１３の屈折率より高い。ポンプ光導波領域１２Ｂは、光増幅のためのポンプ光を導波する。ポンプ光導波領域１２Ｂ内のクラッド中心付近に、ポンプ光導波領域１２Ｂの屈折率より高い屈折率を有する領域が存在しない。ポンプ光導波領域１２Ｂは、円形状を有し、クラッド中心に対して回転対称構造である。円形状のポンプ光導波領域１２Ｂの外側がクラッド１３である。
【００２３】
増幅用マルチコア光ファイバ１０Ａ，１０Ｂそれぞれにおいて、各光増幅コア，ポンプ光導波領域およびクラッドそれぞれは、石英ガラスからなり、必要に応じて屈折率調整の為の添加物を含有する。各光増幅コアは、希土類元素（例えばＥｒ，Ｙｂ等）を含有する。例えば、各光増幅コアはＧｅＯ２およびＥｒを添加した石英ガラスからなり、ポンプ光導波領域はＧｅＯ２を添加した石英ガラスからなり、クラッドは純石英ガラスからなる。或いは、各光増幅コアはＧｅＯ２およびＥｒを添加した石英ガラスからなり、ポンプ光導波領域は純石英ガラスからなり、クラッドはＦを添加した石英ガラスからなる。
【００２４】
各光増幅コアの屈折率はポンプ光導波領域の屈折率よりも高く、ポンプ光導波領域の屈折率はクラッドの屈折率よりも高くする必要がある。例えば、クラッドの屈折率を基準として、各光増幅コアの比屈折率差は２.５％であり、ポンプ光導波領域の比屈折率差は０.５％である。
【００２５】
各光増幅コアは使用波長でシングルモード動作することが望ましい。前記比屈折率差で波長１５５０ｎｍにおいてシングルモード動作するコア直径は例えば４μｍである。隣接する２つの光増幅コアの間の中心間隔は例えば４０μｍであり、この場合、クラッド中心と各光増幅コア中心との間隔は約４７μｍとなる。この場合、図１に示される増幅用マルチコア光ファイバ１０Ａでは、リング形状のポンプ光導波領域１２Ａの外径（半径）は例えば５３μｍであり、ポンプ光導波領域１２Ａの内径（半径）は例えば４１μｍである。図２に示される増幅用マルチコア光ファイバ１０Ｂでは、ポンプ光導波領域１２Ｂの外径（半径）は例えば５３μｍである。クラッドの外径（直径）は例えば１５０μｍである。
【００２６】
なお、図１に示される増幅用マルチコア光ファイバ１０Ａではポンプ光導波領域はリング形状であり、図２に示される増幅用マルチコア光ファイバ１０Ｂではポンプ光導波領域は円形状であるが、ポンプ光導波領域の形状は、これらに限定されるものではない。ポンプ光導波領域は、各光増幅コアにポンプ光が均等に分配されるような形状であればよく、例えば多角形等の様々な形状であってもよい。
【００２７】
また、各領域の比屈折率差および寸法も前記数値例に限定されない。例えば、増幅用マルチコア光ファイバと伝送用マルチコア光ファイバとを直接に接続することを想定しなければ（すなわち、コア間隔を変換する光部品を介して両者を接続することを想定すれば）、増幅用マルチコア光ファイバは、使用長が数十ｍまでと比較的短い上に、各光増幅コアの比屈折率差が大きく、各光増幅コアの径が小さく、コア間クロストークが発生し難いので、コア間クロストークの観点からは、隣接光増幅コア間の中心間隔を約４７μｍより小さくすることが可能となる。例えば、隣接光増幅コア間の中心間隔を３０μｍとすると、クラッド中心と各光増幅コア中心との間隔は約３５.５μｍとなり、この場合には、クラッド外径（直径）を標準的な光ファイバと同等の１２５μｍとすることが可能となり、ファイバ曲げ等のハンドリングを標準的な光ファイバと同様に行うことが可能となる。
【００２８】
図３は、第１実施形態のマルチコア光ファイバ増幅器１の構成を示す図である。マルチコア光ファイバ増幅器１は、伝送用マルチコア光ファイバ９１により伝送されて来た信号光を増幅して、その増幅した後の信号光を伝送用マルチコア光ファイバ９２へ出力することができる。マルチコア光ファイバ増幅器１は、増幅用マルチコア光ファイバ１０、ポンプ光源２０、光ファイバ３０〜３８、８出力ファンアウト部品４０および９入力ファンイン部品５０を備える。
【００２９】
増幅用マルチコア光ファイバ１０は、図１に示された増幅用マルチコア光ファイバ１０Ａまたは図２に示された増幅用マルチコア光ファイバ１０Ｂと同様の構成を有する。光ファイバ３０は、９入力ファンイン部品５０の９本の入力光ファイバのうちの１本の入力光ファイバで構成される。光ファイバ３１〜３８は、８出力ファンアウト部品４０の８本の出力光ファイバと、９入力ファンイン部品５０の９本の入力光ファイバのうちの８本の入力光ファイバとが接続されて構成される。
【００３０】
ポンプ光源２０から出力されたポンプ光は、光ファイバ３０および９入力ファンイン部品５０を経て、増幅用マルチコア光ファイバ１０のポンプ光導波領域に導入される。増幅用マルチコア光ファイバ１０が増幅用マルチコア光ファイバ１０Ａ（図１）である場合、ポンプ光は、リング形状のポンプ光導波領域１２Ａの内側にある内側クラッド１３Ａに先ず導入され、その後にポンプ光導波領域１２Ａに拡散して、各光増幅光１１に均等に分散する。ポンプ光導波領域１２Ａ内の光増幅コア１１ｎが存在しない部分にポンプ光を直接導入しても良い。
【００３１】
伝送用マルチコア光ファイバ９１の８本のコアにより導波されて到達した信号光は、８出力ファンアウト部品４０，光ファイバ３１〜３８および９入力ファンイン部品５０を経て、増幅用マルチコア光ファイバ１０の８本の光増幅コア１１１〜１１８に導入されて増幅される。８本の光増幅コア１１１〜１１８で増幅された信号光は、伝送用マルチコア光ファイバ９２の８本のコアにより導波されて行く。
【００３２】
本実施形態では、増幅用マルチコア光ファイバ１０の複数の光増幅コアを一括ポンプすることが可能であり、しかも、増幅用マルチコア光ファイバ１０の複数の光増幅コアそれぞれの増幅特性の均一化が容易となる。
【００３３】
第１実施形態の変形例として、増幅用マルチコア光ファイバ１０の出射端側の一部に、増幅用マルチコア光ファイバ１０の各光増幅コアにおいて光増幅される信号光の利得特性を調整する利得特性調整部として長周期ファイバグレーティングが形成されていてもよい。長周期ファイバグレーティングの透過損失の波長依存性を適切に設計することにより、マルチコア光ファイバ増幅器１の利得の波長依存性を平坦化することが可能となる。また、増幅用マルチコア光ファイバ１０の光増幅コアが同一円周上に配置されているので、増幅用マルチコア光ファイバ１０の側方から光を照射して長周期ファイバグレーティングを形成する際に、他のコアにより照射光が乱されることが無い。
【００３４】
図４は、第２実施形態のマルチコア光ファイバ増幅器２の構成を示す図である。図３に示された第１実施形態のマルチコア光ファイバ増幅器１の構成に対し、図４に示される第２実施形態のマルチコア光ファイバ増幅器２は、増幅用マルチコア光ファイバ１０と伝送用マルチコア光ファイバ９２との間に感光性マルチコア光ファイバ６０が挿入され光学的に結合されている点で相違する。感光性マルチコア光ファイバ６０は感光性が高い８本のコアを有する。この感光性マルチコア光ファイバ６０に、増幅用マルチコア光ファイバ１０の各光増幅コアにおいて光増幅される信号光の利得特性を調整する利得特性調整部として長周期ファイバグレーティングが形成されている。
【００３５】
増幅用マルチコア光ファイバ１０より感光性の高い感光性マルチコア光ファイバ６０に長周期ファイバグレーティングを形成することにより、グレーティング形成のための光照射時間を短くすることができ、グレーティングを形成するファイバ長を短くすることができ、グレーティングの特性を向上させることができる等の効果が期待できる。
【００３６】
感光性マルチコア光ファイバ６０のモードフィールド径は、増幅用マルチコア光ファイバ１０および伝送用マルチコア光ファイバ９２それぞれのモードフィールド径の間の値であるのが好ましい。この場合、接続部での急激なモードフィールド径変化が避けられるので、増幅用マルチコア光ファイバ１０と伝送用マルチコア光ファイバ９２とを直接接続する場合より、接続損失が低減される効果が期待できる。
【００３７】
例えば、増幅用マルチコア光ファイバ１０は、クラッドの屈折率を基準として、各光増幅コアの比屈折率差が２.５％であり、ポンプ光導波領域の比屈折率差が０.５％であって、各光増幅コアの直径が４μｍであるとすると、波長１５５０ｎｍにおけるモードフィールド径が約４.５μｍとなる。また、伝送用マルチコア光ファイバ９２のモードフィールド径が１０μｍであるとする。増幅用マルチコア光ファイバ１０と伝送用マルチコア光ファイバ９２とを直接接続する場合、両ファイバのモードフィールド径不整合に起因する接続損失は約２.５ｄＢに達する。
【００３８】
ここで、感光性マルチコア光ファイバ６０のモードフィールド径が６μｍであるとする。このとき、増幅用マルチコア光ファイバ１０と感光性マルチコア光ファイバ６０とのモードフィールド径不整合に起因する接続損失は約０.４ｄＢとなる。また、感光性マルチコア光ファイバ６０と伝送用マルチコア光ファイバ９２とのモードフィールド径不整合に起因する接続損失は約１.１ｄＢとなる。両者を合算した接続損失は約１.５ｄＢとなり、直接接続時に対して約１ｄＢの損失低減が可能となる。
【００３９】
図５は、第３実施形態のマルチコア光ファイバ増幅器３の構成を示す図である。図４に示された第２実施形態のマルチコア光ファイバ増幅器２の構成に対し、図５に示される第３実施形態のマルチコア光ファイバ増幅器３は、モニタ部７０、光ファイバ７１および制御部８０を備える点で相違する。
【００４０】
本実施形態では、増幅用マルチコア光ファイバ１０の信号光出射端近傍のクラッドの一部が除去され、または、感光性マルチコア光ファイバ６０のクラッドの一部が除去されており、当該クラッド除去部分においてマルチコア光ファイバのコアと光ファイバ７１とが近接されて光結合されている。
【００４１】
モニタ部７０は、当該クラッド除去部分から光ファイバ７１を経て取り出された信号光の一部を受光して、増幅用マルチコア光ファイバ１０の光増幅コアにおいて光増幅された信号光のパワーをモニタする。制御部８０は、モニタ部７０によるモニタ結果に基づいて、増幅用マルチコア光ファイバ１０のポンプ光導波領域に導入されるポンプ光のパワーを制御する。
【００４２】
マルチコア光ファイバの複数のコアが円周上に配置されているので、マルチコア光ファイバの複数のコアのうち任意のコアに対してモニタ用光ファイバ７１およびモニタ部７０を設けることが可能であり、また、マルチコア光ファイバのコアの本数と同数組のモニタ用光ファイバ７１およびモニタ部７０を設けることも可能である。
【符号の説明】
【００４３】
１〜３…マルチコア光ファイバ増幅器、１０，１０Ａ，１０Ｂ…増幅用マルチコア光ファイバ、１１１〜１１８…光増幅コア、１２Ａ，１２Ｂ…ポンプ光導波領域、１３…クラッド、１３Ａ…内側クラッド、２０…ポンプ光源、３０〜３８…光ファイバ、４０…８出力ファンアウト部品、５０…９入力ファンイン部品、６０…感光性マルチコア光ファイバ、７０…モニタ部、７１…光ファイバ、８０…制御部、９１，９２…伝送用マルチコア光ファイバ。
【図１】
2014099453.tif 000003
【図２】
2014099453.tif 000004
【図３】
2014099453.tif 000005
【図４】
2014099453.tif 000006
【図５】
2014099453.tif 000007